(57)【要約】【課題】  家庭用洗濯機で洗濯できるだけでなく、布団として使用する時でもこれまでに無い体験のできる新型（ニュータイプ）の布団を提供することにある。【解決手段】  新型布団１は、縦へ五月雨式に複数列配置される縦用長尺体１０と、縦用長尺体１０の両端をそれぞれ直交するように横へ２列に配置される横用長尺体２０とを組み合わせてなる。この時、横用長尺体２０を縦用長尺体１０の両端に備える筒状部１５へ通す。また、専用枕３０を横用長尺体２０に取り付けて使用される。【選択図】  図４−１
2020195489.tif 000002
【特許請求の範囲】
【請求項１】
柔軟性のある長尺体を縦横に組み合わせてなることを特徴とした新型布団。
【請求項２】
縦へ五月雨式に複数列配置される縦用長尺体と、縦用長尺体の両端をそれぞれ直交するように横へ２列に配置される横長尺体とを組み合わせてなることを特徴とした請求項１に記載の新型布団。
【請求項３】
縦用長尺体の両端には、横長尺体を通すための筒状部を備えることを特徴とした請求項２に記載の新型布団。
【請求項４】
横長尺体に着脱自在の専用枕を備えることを特徴とした請求項１から３のいずれかに記載の新型布団。
【請求項５】
布団の上に掛けるレースベールを備えることを特徴とした請求項１から４のいずれかに記載の新型布団。
【請求項６】
縦へ五月雨式に複数列配置される縦用長尺体を束ねるように巻装される乱れ防止用帯を備えることを特徴とした請求項２から５のいずれかに記載の新型布団。
【発明の詳細な説明】
【技術分野】
【０００１】
本願発明は、寝具である布団に関するものである。
【背景技術】
【０００２】
布団は大きく嵩張るためになかなか家庭用の洗濯機では洗濯することができなかった。
【０００３】
これに対して、特許文献１では、布団を小さく分割し、組み立てることにより、家庭用洗濯機でも容易に丸洗いすることができるクッション・布団が開示されている。
【０００４】
これによれば、家庭用洗濯機に入るような大きさに容易に６〜８個に分割し丸洗いでき、あるいは、特に汚れた箇所のみを容易に取り外し洗濯でき、又は組み立てるのが楽な、分割できるクッション・布団で、クッションとしても使用でき、繋いで大きくしカバーをかけて敷き布団としても掛け布団としても利用できるものである。
【先行技術文献】
【特許文献】
【０００５】
【特許文献１】特開２００９−２４７８６２号公報
【発明の概要】
【発明が解決しようとする課題】
【０００６】
確かに、特許文献１に開示された布団は家庭用洗濯機でも容易に丸洗いすることができるものかもしれません。
しかしながら、洗濯時以外の敷き布団や掛け布団など布団として使用する時には、一般的な布団と何ら変わるものではない。
【０００７】
これに対して、本願発明者は、家庭用洗濯機で洗濯できるだけでなく、布団として使用する時でもこれまでに無い体験のできる新型（ニュータイプ）の布団を提供すべく、本願発明を完成させた。
【課題を解決するための手段】
【０００８】
本願発明の第１の発明は、柔軟性のある長尺体を縦横に組み合わせてなることを特徴とした新型布団である。
本願発明の第２の発明は、縦へ五月雨式に複数列配置される縦用長尺体と、縦用長尺体の両端をそれぞれ直交するように横へ２列に配置される横長尺体とを組み合わせてなることを特徴とした同新型布団である。
本願発明の第３の発明は、縦用長尺体の両端には、横長尺体を通すための筒状部を備えることを特徴とした同新型布団である。
本願発明の第４の発明は、横長尺体に着脱自在の枕を備えることを特徴とした同新型布団である。
本願発明の第５の発明は、布団の上に掛けるレースベールを備えることを特徴とした同新型布団である。
本願発明の第６の発明は、縦へ五月雨式に複数列配置される縦用長尺体を束ねるように巻装される乱れ防止用帯を備えることを特徴とした同新型布団である。
【発明の効果】
【０００９】
上記する本願発明によれば、以下のような効果を有する。
（１）本願発明の新型布団は、柔軟性のある長尺体を縦横に組み合わせてなるので、洗濯の時には長尺体を全て分解して家庭用洗濯機で洗濯できる。
（２）長尺体（縦用長尺体）を縦へ五月雨式に複数列配置するので、体の一部（例えば、頭・腕・足など）をこの縦用長尺体の間（＝布団）から出すことができ、これまでの寝具では味わうことの無い寝心地を得られる。
（３）縦用長尺体の両端に横用長尺体を通すための筒状部を備えることで、柔軟性のある長尺体を縦横に簡易且つ確実に組み合わせることができる。
（４）横長尺体に着脱自在の専用枕を備えることで、さらに寝心地が良くなる。
（５）布団の上に掛けるレースベールを備えることで、肌寒い日でも本願発明の新型布団を使用することができる。
（６）縦用長尺体を束ねるように巻装される乱れ防止用帯を備えることで、縦用長尺体の乱れを防止できる。
【図面の簡単な説明】
【００１０】
【図１】本願発明に係る新型布団の構造を説明する説明図（１）。
【図２】本願発明に係る新型布団の構造を説明する説明図（２）。
【図３】本願発明に係る新型布団の構造を説明する説明図（３）。
【図４−１】本願発明に係る新型布団の構造を説明する説明図（４−１）。
【図４−２】本願発明に係る新型布団の構造を説明する説明図（４−２）。
【図５】本願発明に係る新型布団の使用態様を説明する説明図（１）。
【図６】本願発明に係る新型布団の使用態様を説明する説明図（２）。
【図７】本願発明に係る新型布団の使用態様を説明する説明図（３）。
【図８−１】本願発明に係る新型布団の使用態様を説明する説明図（４−１）。
【図８−２】本願発明に係る新型布団の使用態様を説明する説明図（４−２）。
【図９】本願発明に係る新型布団の使用態様を説明する説明図（５）。
【図１０】本願発明に係る新型布団の使用態様を説明する説明図（６）。
【図１１】本願発明に係る新型布団の使用態様を説明する説明図（７）。
【図１２】本願発明に係る新型布団の使用態様を説明する説明図（８）。
【発明を実施するための形態】
【００１１】
本願発明の実施形態を図面に基づいて説明する。
図１は、本願発明に係る新型布団を構成する構成部材である「縦用長尺体」を図示したものである。
縦用長尺体１０は、本体１１が袋状の側に綿等の芯材を詰めて柔軟性のある略円柱状となっている。また、本体１１の両端には、図２で図示する横長尺体２０を挿通するための筒状部１５，１５を備える。
【００１２】
図２は、本願発明に係る新型布団を構成する構成部材である「横用長尺体」を図示したものである。
横用長尺体２０は、本体２１が袋状の側に綿等の芯材を詰めて柔軟性のある略円柱状となっている。
なお、縦用長尺体１０も横用長尺体２０も柔軟性があればよく、図示及び上記の構造に限定されるものではない。
【００１３】
図３は、本願発明に係る新型布団を構成する構成部材である「専用枕」を図示したものである。
専用枕３０は、頭部を載置する本体３１が袋状の側に綿等の芯材を詰めて柔軟性のあるものとなっている。また、ベルト３５を複数本備え、図２で図示した横用長尺体２０に巻き付けるものとなっている。
【００１４】
図４（図４−１及び図４−２）は、図１〜図３で図示した構成部材を組み合わせて「新型布団」を組み立てる状態を図示したものである。
まず、図４−１に図示するように、新型布団１は、縦へ五月雨式に複数列配置される縦用長尺体１０と、縦用長尺体１０の両端をそれぞれ直交するように横へ２列に配置される横用長尺体２０とを組み合わせてなる。この時、横用長尺体２０を縦用長尺体１０の両端に備える筒状部１５へ通すことで、柔軟性のある長尺体１０，２０を縦横に簡易且つ確実に組み合わせることができる。
なお、左右両側端に配置される縦用長尺体１０，１０は、その筒状部１５の内側に係止部材（例えば、面ファスナー１６など）を備えて、横用長尺体２０の両端に設けられた同種の係止部材（例えば、面ファスナー２６など）と係止させるとよい。
また、専用枕３０を横用長尺体２０に取り付けて使用される。
【００１５】
次に、図４−２に図示するように、新型布団１は、環状の乱れ防止用帯５０を使って、縦用長尺体１０，１０，…を束ねるように巻装させるとよい。巻装する位置は、縦へ五月雨式に複数列配置された縦用長尺体１０，１０，…の中央部でも、上部でも、下部でも好きな位置で使用できる。この乱れ防止用帯５０によって、新型布団１が使用されても縦用長尺体１０，１０，…の乱れを防止できる。例えば、朝起床したときに縦用長尺体１０が乱れないよう（縦用長尺体１０がベッドから落ちていることなどがないよう）にできる。  なお、乱れ防止用帯５０の生地・素材は特に限定するものではないが、例えば、伸縮性のある生地・素材にすることも好ましい。
【００１６】
図５〜図１２は、上記した新型布団１の使用態様を説明した説明図である。
図５は、新型布団１を敷き布団のように使用している使用態様を図示している。使用者は縦用長尺体１０，１０の間に体が嵌まるので、プールで浮いているような感覚になる。
【００１７】
図６は、新型布団１を掛け布団のように使用している使用態様を図示している。使用者は縦用長尺体１０，１０の間から腕や足を出すことができるので、温度調節がしやすく、質の高い睡眠が得られる。この点、通常の布団では腕や足だけを出すことは難しいので、温度調節がしにくい。
【００１８】
図７は、新型布団１を足枕のように使用している使用態様を図示している。使用者は足だけを縦用長尺体１０，１０の上に載置できるので、布団としてだけではなく足枕としても使用できる。
【００１９】
図８（図８−１及び図８−２）及び図９は、新型布団１を掛け布団のように使用しているその他の使用態様を図示している。すなわち、図６と異なるのは、縦用長尺体１０，１０の間から頭部を出している点である。図８−１では横用長尺体２０に取り付けた専用枕３０に頭部を載せている態様であり、図８−２ではさらに図４−２で説明した乱れ防止用帯５０を使用している態様である。また、図９は専用枕３０を取り付けずに横用長尺体２０へ直に頭部を載せている態様である。
【００２０】
図１０は、新型布団１の上にレース生地（レースベール）４０を重ねて掛け布団のように使用している使用態様を図示している。この態様だと、縦用長尺体１０，１０や横用長尺体２０の間に形成される隙間がレース生地４０によって閉じられて空気層となって断熱効果が得られ、肌寒い時や冬期でもこの新型布団１を使用することができる。なお、新型布団１の上に重ねるものはレース生地４０だけでなく、毛布類などであってもよい。
【００２１】
図１１及び図１２は、新型布団１を抱き枕のように使用している使用態様を図示している。使用者は縦用長尺体１０，１０の間から腕や足を出してその腕や足で縦用長尺体１０を抱きかかえるようにして寝ることができるので、安心して眠ることができる。
【産業上の利用可能性】
【００２２】
本願発明に係る新型布団は、家庭用洗濯機で洗濯できる布団としてだけではなく、これまでに無い体験のできる新型の寝具として、幅広く利用することができる。
【符号の説明】
【００２３】
１  新型布団
１０  縦用長尺体
１１  本体
１５  筒状部
１６  面ファスナー
２０  横用長尺体
２１  本体
２６  面ファスナー
３０  専用枕
３１  本体
３５  ベルト
４０  レース生地
５０  乱れ防止用帯
【図１】
2020195489.tif 000003
【図２】
2020195489.tif 000004
【図３】
2020195489.tif 000005
【図４−１】
2020195489.tif 000006
【図４−２】
2020195489.tif 000007
【図５】
2020195489.tif 000008
【図６】
2020195489.tif 000009
【図７】
2020195489.tif 000010
【図８−１】
2020195489.tif 000011
【図８−２】
2020195489.tif 000012
【図９】
2020195489.tif 000013
【図１０】
2020195489.tif 000014
【図１１】
2020195489.tif 000015
【図１２】
2020195489.tif 000016